(57)【要約】【課題】包丁とフライ返しの双方の機能を備えた調理器具を提供する。【解決手段】調理器具（１００）は平板状の本体部分（１１０）と、本体部分（１１０）に接続する把手部分（１２０）とからなる。本体部分（１１０）は第一の頂点（１１１）と第二の頂点（１１２）と第三の頂点（１１３）とを結ぶ形状をなしており、第一の頂点（１１１）と第二の頂点（１１２）との間の本体部分（１１０）の縁には刃（１１４）が形成されている。第一の頂点（１１１）と第三の頂点（１１３）との間の本体部分（１１０）の縁（１１５）には、第三の頂点（１１３）から始まり第一の頂点（１１１）に向かって延びる凸状部（１３０）が形成されており、凸状部（１３０）は本体部分（１１０）に対して段差をなしている。【選択図】図１
0003134122.tif 000002
【実用新案登録請求の範囲】
【請求項１】
平板状の本体部分と、前記本体部分に接続する把手部分とを備える調理器具であって、
前記本体部分は第一の頂点と第二の頂点と第三の頂点とを結ぶ形状をなしており、
前記第一の頂点と前記第二の頂点との間の前記本体部分の縁には刃が形成されており、
前記本体部分と前記把手部分とは前記第一の頂点と前記第三の頂点との間において接続されており、
前記第一の頂点と前記第三の頂点との間の前記本体部分の縁には、前記第三の頂点から始まり前記第一の頂点に向かって延びる凸状部が形成されており、
前記凸状部は前記本体部分に対して段差をなすものであることを特徴とする調理器具。
【請求項２】
前記凸状部は前記本体部分の表面及び裏面の双方において形成されていることを特徴とする請求項１に記載の調理器具。
【考案の詳細な説明】
【技術分野】
【０００１】
本考案は調理器具に関する。
【背景技術】
【０００２】
これまでの調理器具は一つの機能しか有しないものであった。
【０００３】
例えば、包丁またはカッターは調理対象物を裁断する機能のみを有し、フライ返しは調理対象物をすくい上げて、裏返しにする機能のみを有し、すくい具は調理対象物（特に、液状物）をすくう機能のみを有していた。
【考案の開示】
【考案が解決しようとする課題】
【０００４】
このため、従来は、複数の機能を実行すべき場合には、その機能の数に応じた調理器具を用意しなければならなかった。
【０００５】
例えば、調理対象物を裁断し、裁断した物を裏返しにする場合には、包丁とフライ返しの２種類の調理器具を用意することが必要であった。
【０００６】
本考案はこのような問題点に鑑みてなされたものであり、一つの調理器具で複数の機能を実行し得る多機能調理器具、特に、包丁とフライ返しの双方の機能を備えた調理器具を提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、平板状の本体部分（１１０）と、前記本体部分（１１０）に接続する把手部分（１２０）とを備える調理器具（１００）であって、前記本体部分（１１０）は第一の頂点（１１１）と第二の頂点（１１２）と第三の頂点（１１３）とを結ぶ形状をなしており、前記第一の頂点（１１１）と前記第二の頂点（１１２）との間の前記本体部分（１１０）の縁には刃（１１４）が形成されており、前記本体部分（１１０）と前記把手部分（１２０）とは前記第一の頂点（１１１）と前記第三の頂点（１１３）との間において接続されており、前記第一の頂点（１１１）と前記第三の頂点（１１３）との間の前記本体部分（１１０）の縁（１１５）には、前記第三の頂点（１１３）から始まり前記第一の頂点（１１１）に向かって延びる凸状部（１３０）が形成されており、前記凸状部（１３０）は前記本体部分（１１０）に対して段差をなすものであることを特徴とする調理器具（１００）を提供する。
【０００９】
前記凸状部（１３０）は前記本体部分（１１０）の表面及び裏面の双方において形成されていることが好ましい。
【考案の効果】
【００１０】
本考案に係る調理器具においては、第一の機能として、本体部分がフライ返しとしての機能を有し、さらに、第二の機能として、刃が包丁またはカッターとしての機能を有しているとともに、凸状部が本体部分に載せた調理対象物が本体部分から落下することを防止する機能を有している。
【００１１】
このため、本考案に係る調理器具は単一の調理器具でありながら、フライ返し及び包丁の２種類の調理器具と同等に使用することができる。
【考案を実施するための最良の形態】
【００１２】
図１（Ａ）は本考案の第一の実施形態に係る調理器具１００の側面図であり、図１（Ｂ）は調理器具１００の平面図である。
【００１３】
図１（Ｂ）に示すように、本実施形態に係る調理器具１００は、平板状の本体部分１１０と、本体部分１１０に接続された把手部分１２０と、を備えている。
【００１４】
本体部分１１０はスティンレス鋼その他の金属からなり、フライ返しとしての機能を奏するのに十分な広さを有している。すなわち、調理器具１００は、第一の機能として、フライ返しとしての機能を有している。
【００１５】
具体的には、本体部分１１０は第一の頂点１１１と第二の頂点１１２と第三の頂点１１３とを結ぶ三角形に類似した形状をなしている。
【００１６】
本体部分１１０の第一の頂点１１１と第二の頂点１１２との間には縁１１４が形成され、本体部分１１０の第一の頂点１１１と第三の頂点１１３との間には縁１１５が形成されている。
【００１７】
本体部分１１０の縁のうち、第一の頂点１１１と第二の頂点１１２とを結ぶ縁１１４には刃が形成されている。このため、調理対象物に縁１１４を押し当てることにより、調理対象物を裁断することが可能である。すなわち、調理器具１００は、第二の機能として、包丁またはカッターとしての機能を有している。
【００１８】
本体部分１１０と把手部分１２０とは縁１１５の一部において相互に接続されている。具体的には、本体部分１１０と把手部分１２０とは第三の頂点１１３を一端として延びる境界領域１２１を介して相互に接続されている。
【００１９】
また、本体部分１１０の縁のうち、第一の頂点１１１と第三の頂点１１３とを結ぶ縁１１５には凸状部１３０が形成されている。
【００２０】
凸状部１３０は、図１（Ａ）に示すように、本体部分１１０よりも高く形成され、このため、本体部分１１０に対して段差をなしている。
【００２１】
さらに、図１（Ａ）に示すように、凸状部１３０は本体部分１１０の表面側と裏面側の双方において形成されている。
【００２２】
図１（Ｂ）に示すように、凸状部１３０は、第三の頂点１１３を始点として第一の頂点１１１に向かって延び、第一の頂点１１１と第三の頂点１１３との間の位置において終端している。
【００２３】
凸状部１３０は、本体部分１１０で調理対象物をすくい上げたときに、その調理対象物を凸状部１３０でガードすることにより、調理対象物が本体部分１１０から落下することを防止する。
【００２４】
以上のように、本実施形態に係る調理器具１００においては、第一の機能として、本体部分１１０がフライ返しとしての機能を有し、さらに、第二の機能として、刃１１４が包丁またはカッターとしての機能を有しているとともに、凸状部１３０が本体部分１１０に載せた調理対象物が本体部分１１０から落下することを防止する機能を有している。
【００２５】
このため、本実施形態に係る調理器具１００は単一の調理器具でありながら、フライ返し及び包丁の２種類の調理器具と同等に使用することができる。
【００２６】
本実施形態に係る調理器具１００は上述の構造に限定されるものではなく、種々の改変が可能である。
【００２７】
本実施形態に係る調理器具１００においては、凸状部１３０は第三の頂点１１３を始点とし、第一の頂点１１１と第三の頂点１１３との間の位置を終点として延びているが、例えば、凸状部１３０は第三の頂点１１３から第一の頂点１１１まで延びるように形成することも可能である。あるいは、凸状部１３０は第三の頂点１１３を始点として境界領域１２１においてのみ形成することも可能である。
【００２８】
また、本実施形態に係る調理器具１００においては、本体部分１１０と把手部分１２０とは、第三の頂点１１３を始点として延びる境界領域１２１を介して、相互に接続されているが、本体部分１１０と把手部分１２０とを接続する境界領域１２１は第一の頂点１１１と第三の頂点１１３との間の縁１１５の何れかにあればよく、第三の頂点１１３を始点とすることは必ずしも必要ではない。
【００２９】
さらに、本実施形態に係る調理器具１００においては、凸状部１３０は本体部分１１０の表面及び裏面の双方において形成されているが、本体部分１１０の表面及び裏面の何れか一方にのみ形成することも可能である。
【図面の簡単な説明】
【００３０】
【図１】図１（Ａ）は本考案の第一の実施形態に係る調理器具の側面図であり、図１（Ｂ）は本考案の第一の実施形態に係る調理器具の平面図である。
【符号の説明】
【００３１】
１００  本考案の第一の実施形態に係る調理器具
１１０  本体部分
１１１  第一の頂点
１１２  第二の頂点
１１３  第三の頂点
１１４、１１５  本体部分の縁
１２０  把手部分
１２１  境界領域
１３０  凸状部
【図１】
0003134122.tif 000003